(57)【要約】      （修正有）【課題】故人の家名や葬儀場などの案内用文言を手書き或いは印刷シートによって表示可能にするとともに、その表示がなされる透明アルスは半透明シートを繰り返し使用可能にする。【解決手段】下部に葬儀式場及び連絡先などの固定情報１２を表示したプラスチック製段ボールなどからなるパネルの前面全体に、縦矩形状の透明或いは半透明シート３を粘着材を介して接合してなる。透明シート３の表面に、故人の家名４、家紋、通夜や葬儀の日時などを表示する。【選択図】図８
0003140774.tif 000002
【実用新案登録請求の範囲】
【請求項１】
プラスチック製段ボールの波状湾曲を横方向に配した矩形状の軽量板の前面下部に葬儀式場及び連絡先などの固定情報を表示したパネルと、
裏面に粘着材が塗布され、表面に故人の家名、家紋、通夜・葬儀の日時などを表示するための透明或いは半透明シートからなり、
前記透明或いは半透明シートを、前記固定情報の表示部分を含む前記パネルの前面全体に被着して構成され、
前記透明或いは半透明シート表面の前記固定情報の上部に、前記故人の家名、家紋、通夜・葬儀の日時などを表示することを特徴とする葬儀用簡易案内板。
【請求項２】
前記前記透明或いは半透明シートへの故人の家名、家紋、通夜・葬儀の日時などの表示を、手書きで行うことを特徴とする請求項１に記載の葬儀用簡易案内板。
【請求項３】
前記透明或いは半透明シートへの故人の家名、家紋、通夜・葬儀の日時などの表示を、前記故人の家名などを表示した印刷シートの貼着であることを特徴とする請求項１に記載の葬儀用簡易案内板。
【請求項４】
前記パネルおよび前記透明或いは半透明シートの上下部には、縦中央線を挟んで左右対称の位置に、紐または針金からなる締結体を通す一対の小孔が設けられていることを特徴とする請求項１〜３のいずれか１に記載の葬儀用簡易案内板。
【考案の詳細な説明】
【技術分野】
【０００１】
本考案は、葬儀場近辺の交差点或いは道路筋など、参列者の目につき易い箇所、例えば電柱、歩道設置物などに取り付けられて、通夜や告別式などが執り行われる葬儀場への道筋を案内する葬儀用簡易案内板に関する。
【背景技術】
【０００２】
葬儀には、葬儀参列者に、通夜・告別式の日時や葬儀場などを案内するために、葬儀場近辺に、故人の家名を記した葬儀用案内板を立てることが行われている。この葬儀用案内板には、木製枠に布地或いは紙を張装した立て看板、或いはアクリル樹脂或いは塩化ビニル樹脂などの硬質プラスチック材を縦長状に形成した硬質パネル看板などが使用されている。これに故人の家名、通夜・告別式の日時や葬儀場への矢印などの案内用文言を表記している。
【０００３】
このような葬儀用案内板は、歩道などに沿って立設されている電柱や歩道設置物に、紐や針金を用いて結着される。紐や針金は、葬儀用案内板に巻き付けたり、上部の２隅に設けられ釘に引掛け、前記電柱や歩道設置物の所定高さの位置に縛り付けたりする。
【０００４】
更に、金属板に案内用文言を表記した表示板などを添着した可動性の葬儀用案内装置なども提案されている（例えば、特許文献１参照）。
【特許文献１】特開平０７−２９５４９２号公報
【考案の開示】
【考案が解決しようとする課題】
【０００５】
しかしながら、従来の葬儀用案内板で、木枠に布或いは紙を張装した立て看板は、厚みと重量があるため持ち運びに不便であり、風雨にさらされると布地や紙の変形や弛みを発生する。布地や紙は、耐湿性に欠けるため、湿気や雨に晒されると案内用文言に変化が生じ、外観が悪くなる。また、この葬儀用案内板は、使用が１回限りで再利用が不可能になり、使用後に廃棄されるため、資源の無駄使いになる。
【０００６】
また、アクリル板や塩化ビニル板などの硬質パネル看板は、素材が硬質であり、これを取り付ける電柱や歩道設置物の外形に馴染まないので、取り付けに不便である。更に、硬質パネル看板は、角部が歩行者の顔や肩に触れると、怪我を負わせる惧れがあるという問題があった。
【０００７】
本考案は、前記のような従来の問題点に着目してなされたものであり、故人の家名、通夜・告別式などの葬儀の日時などの葬儀案内用文言を手書きなどの表示手段によって表示可能にするとともに、その表示がなされる透明シートを繰り返し使用可能にし、かつ容易に持ち運びができる葬儀用案内板を提供することを目的とする。
【０００８】
前記目的達成のために、本考案にかかる葬儀用案内板は、プラスチック製段ボールの波状湾曲を横方向に配した矩形状の軽量板の前面下部に葬儀式場及び連絡先などの固定情報を表示したパネルと、裏面に粘着材が塗布され、表面に故人の家名、家紋、通夜・葬儀の日時などを表示する透明或いは半透明シートからなり、前記透明或いは半透明シートを、前記固定情報の表示部分を含む前記パネルの前面全体に被着して構成され、前記透明或いは半透明シート表面の前記固定情報の上部に、前記故人の家名、家紋、通夜・葬儀の日時などを表示することを特徴とする。
【０００９】
このように構成されているので、可撓性を備えているプラスチック製段ボールをパネルとして使用したことによって、電柱や歩道設置物などの円形外周に対して馴染み易く、簡単に取り付けることができる。また、パネルは、プラスチック製段ボールであるから単位面積及び厚さ当りの重量が格段に軽く、取り扱いや持ち運びが容易である。特に、プラスチック製段ボールは、剛性、可撓性、緩衝性を備えているので、歩行者が接触しても、人身を傷つけたり、物品を破損させない。
【００１０】
パネル前面全体に被着されるシートは、透明又は半透明であるので、パネル下部の固定情報が隠れることが無い。また、透明又は半透明シートは、故人の家名、通夜・告別式の日時などを、当該シートの表面に手書き入力或いは印刷シートなどの表示手段で表示することで、パネル上の固定情報とともに葬儀情報を容易に表示できる。
さらに、手書きによる故人の家名等の表示は、使用後、洗い落すなどして消すことでき、再利用が可能になる。
【００１１】
また、本考案にかかる葬儀用案内板は、前記透明或いは半透明シートへの故人の家名、家紋、通夜・葬儀の日時などの表示が、手書きで行うことを特徴とする。
【００１２】
また、本考案にかかる葬儀用案内板は、前記透明或いは半透明シートへの故人の家名、家紋、通夜・葬儀の日時などの表示が、前記故人の家名などを印刷したシートの貼着であることを特徴とする。
【００１３】
これらの構成により、故人の家名、家紋、通夜・葬儀の日時などの表示が、容易におこなえ、葬儀用案内板を迅速に作成できる。
【００１４】
また、本考案にかかる葬儀用案内板は、前記パネルおよび前記透明或いは半透明シートの上下部に、縦中央線を挟んで左右対称の位置に、紐または針金からなる締結体を通す一対の小孔が設けられていることを特徴とする。
【００１５】
この構成により、前記各小孔に通した紐または針金からなる締結体を用いて、電柱或いは歩道設置物などに結着することにより、パネルを円形電柱或いは歩道設置物の外周の所定位置に安全かつ安定して設置することができる。かつ、取り外しも、締結体を解くだけで容易に行える。
【００１６】
また、パネル及び透明或いは半透明シートを紐や針金からなる締結体で電柱や歩道設置物に取り付けた場合に、透明或いは半透明シートがパネルに貼り付けられているために、葬儀用案内板としての外観がすっきりし、美観を呈する。
【考案の効果】
【００１７】
本考案によれば、故人の家名、通夜・告別式の日時、葬儀場への道筋などを手書き或いは印刷シートなどを貼着可能な透明或いは半透明シートを、葬儀式場名や連絡先などの固定情報が印刷されたプラスチック製段ボールなどからなるパネル前面全体に貼り付けることで、簡単かつ迅速に葬儀用案内板を形成できる。パネルは、剛性、可撓性、緩衝性を備えているので、軽く湾曲することで電柱や歩道設置物への馴染みが良く、相互の摩擦面積が十分に得られることから、紐や針金などの締結体で取り付けた場合にも容易に位置ずれすることがなくなる。
【００１８】
前記パネルの前面全体に、透明或いは半透明シートを貼り付けることで、葬儀用案内板を簡単かつ安価に作成できる。さらに、故人の家名、通夜・告別式の日時、葬儀場への道筋などを手書き或いは印刷シートを貼着することで可能となる。
【００１９】
また、前記透明シート表面の家名、通夜や告別式の日時などの案内用文言等は、その都度、手書きによって得られる場合は、使用後はこれらの案内文言等を洗い落とすことで、透明アルスは半透明シートを繰り返し使用することができる。
【００２０】
さらに、可撓性、緩衝性を備えたプラスチック製段ボールからなるパネルを使用しているところから、このパネルの角部が仮に歩行者の身体に触れるようなことがあっても、身体や物品に危害を及ぼすことがすくない。透明或いは半透明シートは、粘着材を介して軽量シートパネルの前面全体に密着させているので、使用時に手書き或いは印刷などの表示手段で、故人の家名、家紋、通夜や葬儀の日時などの案内文言を表示すれば良い。透明或いは半透明シートは、手書きの場合、前記案内文言の洗い落とし後の再利用に備えることができる。
【考案を実施するための最良の形態】
【００２１】
図１は本考案の一実施形態による葬儀用案内板の正面図、図２は図１における葬儀用案内板の縦断面図、図３は図１におけるパネルの正面図、図４は図１における透明シートの正面図、図５は図１における透明或いは半透明シートの他の例を示す正面図、図６は印刷シートの例を示す説明図、図７は本考案の他の実施形態による葬儀用案内板の縦断面図、図８は本考案の実施形態による葬儀用案内板を電柱に取り付けた状態を示す斜視図である。
【００２２】
図１〜図５に示すように、本考案に係る葬儀用案内板１は、剛性、可撓性、緩衝性を備えた軽量板のプラスチック製段ボールを縦矩形状に成形したパネル２と、表面に故人の家名４、家紋５、葬儀の日時６並びに葬儀場への道筋を示す矢印７等を、手書き入力或いは簡易印刷若しくはこれらの組合せによって表示した透明シート３とで構成される。
【００２３】
パネル２を構成する前記プラスチック製段ボールは、図２に示すように、２枚の平らなプラスチックシート間に波状のプラスチックシートを横方向に介在したものからなる。このプラスチック製段ボールは、波状のシートが横方向に介在しているので、水平方向への折り曲げに強く、剛性を備えていることから、湾曲にはある程度の硬さを持っている。また、パネル２の下部に葬儀場の名称、電話番号などの固定情報（斎場情報）１２が表示されている。プラスチック製段ボールの素材としては塩化ビニルなどがあり、これ以外でも剛性、可撓性、緩衝性を備えたものであれば特に限定しない。
【００２４】
プラスチック製段ボールの色として、例えば青色、緑色のものが用いられる。このプラスチック製段ボールは嵩張らず、重量が軽く、持ち運びや保管に便利になっている。また、衝撃性に富んでいるので、角部が人の身体に触れても、その触れた部分が滑らかに曲がって、身体に大きな危害や傷害を与えることはない。図中、８はパネル２の上部及び下部（斎場情報７の上部）に穿設された一対の小孔、９は小孔８に通す紐または針金などの締結体である。
【００２５】
透明或いは半透明シート３は、例えば片面側の剥離紙（図示省略）を除去（剥離）することによって露出した粘着材（図示省略）を介して、パネル２前面の全体を覆うように張り合わされている。この透明シート３の表面には手書き或いは印刷などの表示手段によって、故人の家名などが表示される。なお、手書表示の場合は、水や洗剤を用いるなどして透明シートから容易に洗い落とすことができる塗料が用いられる。また、透明或いは半透明シート３は、そのままでも良いが、着色すると、よりデザイン性が更によくなる。着色の程度は、パネル下部の固定情報が夜間でも認識できる程度のものである。
【００２６】
透明或いは半透明シート３の上下端部には、これの縦中央線を挟んで左右対称でかつ前記パネル２に設けられた小孔８，８に対応する位置に前記締結体９を通す前記一対の小孔１０，１０が一体に穿設されている。
【００２７】
これらの小孔８，１０は、締結体９を挿通できるサイズ（例えば、３．０〜５．０mm）とされている。また、紐または針金などの締結体９は、図２および図３に示すように、パネル２の裏面側から小孔８、８の一方にそれぞれ挿通され、透明シート３の表面側を通って、各孔８，８の他方に挿通され、パネル２の裏側へ戻るように導かれている。
【００２８】
透明或いは半透明シート３の表面には、図１、図４、図５に示すように、上部に葬儀場への道筋を示す矢印７、故人の家名４、告別式の日時6などが、手書き或いは図６に示す印刷などの表示手段により表示されている。この場合に、故人の家名４及び道順の矢印７は目立つように大きく表示することもできる。
【００２９】
また、この透明或いは半透明シート３の裏面には、片面側の剥離紙を除去することによって露出した前記粘着材が付着されており、この粘着材を介して透明或いは半透明シート３をパネル２の前面の略全体を覆う。
【００３０】
また、透明或いは半透明シート３の表面側から小孔８，８，１０，１０に挿通してパネル２の裏面側に出た締結体９を、例えば図６に示すように電柱１１の背面側でそれぞれ緊締する。これにより、本考案の葬儀用案内板１を電柱１１の円形外周面に沿うように所望の高さ位置に保持させることができる。
【００３１】
次に、葬儀用案内板の取り付け方法を説明する。
葬儀用案内板を作成する。固定情報１２が印刷表示されたプラスチック製段ボールの波状湾曲を横方向に配した矩形状のパネル２を用意する。次に、透明或いは半透明シート３の裏面に粘着材を介して貼り付けてある剥離紙（図示省略）を除去（剥離）し、図２に示すように、その粘着材を介してパネル２の表面全体に透明或いは半透明シート３を貼り付ける。この状態で、パネル２の小孔８、８と透明シート３の小孔１０，１０の位置を合わせを行い、後述の紐、針金などの締結体９が通り易くしておく。
この状態で、透明或いは半透明シート３の表面に、故人の家名４、家紋５、葬儀の日時６並びに葬儀場への道筋を示す矢印７等を、手書き入力或いは印刷若しくはこれらの組合せによって作成して本考案の葬儀用案内板1を形成する。
【００３２】
これにより、パネル２の固定情報１２を隠すことなく、略正しく貼り付けることができる。前記貼着により一体化された透明或いは半透明シート３は、パネル２の裏面側に向かって各小孔１０，８に紐９を通す。この状態で、図８に示すように、電柱１１の表面に沿うように葬儀用案内板１を当接した後、紐９の両端部を電柱１１の背面側で結ぶことにより、葬儀用案内板１を電柱にしっかり固定することができる。
【００３３】
前記透明或いは半透明シート３への故人の家名等の表記は、前述のように手書きの場合は、使用されるインクや塗料は、比較的容易に洗い落とすことができる材料のものを使用する。これによって透明或いは半透明シート３自体を繰り返し利用することができる。
【００３４】
図５は、透明或いは半透明シート３に表示する案内文言の他の表示例を示す。（ａ）は葬儀場への道筋を示す矢印７、故人の家名４を縦に順次表記し、左側に通夜と告別式の日時６を表記した例である。（ｂ）は葬儀場への道筋を示す矢印７と故人の家名４の間に家紋５を入れた例である。（ｃ）は同一の式場で時間をおいて、例えば２つの葬儀が行われる場合で、透明或いは半透明シート３には２つの家名４、４を手書きしたものを用いることができる。なお、透明或いは半透明シート３への表記内容は、上記に限定されず、遺族、喪主などの好みに合ったデザイン、数が任意に採用されることはいうまでもない。
【００３５】
図６は、故人の故人の家名、家紋、通夜・葬儀の日時などの表示が印刷シートである場合の例を示すものである。図に示すように、透明或いは半透明シートへの故人の家名、家紋、通夜・葬儀の日時などを印刷した印刷シート１３を作成し、パネルに貼着したものである。印刷シート１３は、パネル３の固定情報１２を除く前面でも良いし、或いは部分的であってもよい。
【００３６】
図７は、葬儀用案内板の他の実施形態を示す縦断面図である。この実施形態では、前記プラスチック製段ボールに代えて発砲樹脂シートの軽量シートパネル２Ａを用いたものである。この発砲樹脂シートで構成されるパネル２Ａは、材質が柔らかく弾力性、柔軟性に富み、しかも適度の硬さを持ち、全体として軽量シートである。このため、取り扱いや持ち運びが容易であり、これが身体に触れるようなことがあっても、危害や負傷を負うことはない。
【００３７】
このように、本実施の形態の葬儀用案内板１は、プラスチック製段ボールの波状湾曲を横方向にした矩形状の軽量板の前面下部に葬儀式場及び連絡先などの固定情報１２を表示したパネル２と、裏面に粘着材か塗布され、表面に故人の家名４、家紋５、通夜や葬儀の日時６などを表示する透明或いは半透明シート３とからなり、透明或いは半透明シート３が、固定情報１２の表示部分を含むパネル２の前面に、前記粘着材を介して接合された構成である。
【００３８】
従って、パネル２として使用したことによって、電柱や歩道設置物などの円形外周に対して馴染み易く、安定して取り付けることができる。パネルを構成するプラスチック製段ボールは単位面積及び厚さあたりの重量が格段に軽く、取り扱いや持ち運びが容易である。故人の家名４、通夜・告別式の日時６、葬儀場への道筋を示す矢印７などは透明或いは半透明シート３の表面に手書き入力或いは印刷によって表示すことで、パネル２上の固定情報１２とともに葬儀情報を広く明瞭に表示できる。また、前記手書きによる場合は、故人の家名等を洗い落とすことでパネルとともに透明シート３の再利用が可能になる。
【産業上の利用可能性】
【００３９】
本考案は、重量が格段に軽く、取り扱いや持ち運びが容易であり、手書きによる故人の家名等を消すことで繰り返し可能にするという効果を有し、電柱等に取り付けられて、通夜や告別式などが執り行われる葬儀場への道筋を案内する葬儀用案内板等に有用である。
【図面の簡単な説明】
【００４０】
【図１】本考案の一実施形態による葬儀用案内板の正面図である。
【図２】図１における葬儀用案内板の縦断面図である。
【図３】図１における軽量シートパネルの正面図である。
【図４】図１における透明シートの正面図である。
【図５】図１における透明シートの他の表示例を示す正面図である。
【図６】印刷シートの例を示す説明図である。
【図７】本考案の他の実施形態による葬儀用案内板の縦断面図である。
【図８】図１における葬儀用案内板の使用例を示す斜視図である。
【符号の説明】
【００４１】
１…葬儀用案内板、２…パネル、３…透明シート、４…故人の家名、５…家紋、６…通夜・告別式の日時、７…矢印、８，１０…小孔、９…締結体、１２…固定情報，１３…印刷シート
【図１】
0003140774.tif 000003
【図２】
0003140774.tif 000004
【図３】
0003140774.tif 000005
【図４】
0003140774.tif 000006
【図５】
0003140774.tif 000007
【図６】
0003140774.tif 000008
【図７】
0003140774.tif 000009
【図８】
0003140774.tif 000010